(57)【要約】【課題】衣服に装着するときに服地を差し込み易く、服地を深く差し込んでも挟持力が低下しないクリップを提供する。【解決手段】クリップ１００は、基端部１１ｂ，１２ｂが主ヒンジ部１０で一体的に連接された第一挟持片１１及び第二挟持片１２と、第二挟持片１２の先端部１２ａ寄りの部分に設けられた副ヒンジ部１４に、第一挟持片１１に対向する姿勢で、且つ、シーソー状に傾動可能な状態で連接された第三挟持片１３と、を備えている。第一挟持片１１及び第二挟持片１２は主ヒンジ部１０を支点にして互いに弾性的に接近・離隔可能であり、第三挟持片１３は副ヒンジ部１４を支点にして弾性的シーソー状に傾動可能である。【選択図】図１
0003232555.tif 000002
【実用新案登録請求の範囲】
【請求項１】
基端部が主ヒンジ部で一体的に連接された第一挟持片及び第二挟持片と、
前記第二挟持片の先端部寄りの部分に設けられた副ヒンジ部に、前記第一挟持片に対向する姿勢で且つシーソー状に傾動可能な状態で連接された第三挟持片と、を備えたクリップ。
【請求項２】
前記第一挟持片の先端部に前記第二挟持片から離れる方向に膨らんだ膨出部を有する請求項１記載のクリップ。
【請求項３】
前記第三挟持片の先端部寄りの部分に、前記膨出部に接近する方向にカーブした湾曲部を有する請求項２記載のクリップ。
【請求項４】
前記基端部寄りの領域において前記第一挟持片と前記第二挟持片とが対向する部分に、前記第二挟持片（若しくは前記第一挟持片）から前記第一挟持片（若しくは前記第二挟持片）に向かって突出した突片部を有する請求項１〜３の何れかの項に記載のクリップ。
【請求項５】
前記第一挟持片と前記第三挟持片とが対向する部分の前記第一挟持片若しくは前記第三挟持片の少なくとも一方の挟持片に、他方の挟持片に向かって突出した歯状片を有する請求項１〜４の何れかの項に記載のクリップ。
【考案の詳細な説明】
【技術分野】
【０００１】
本考案は、折り畳まれた衣服の一部、ハンガーに掛けられた衣服の一部などを着脱可能に挟持する際に使用されるクリップに関する。
【背景技術】
【０００２】
衣服の一部を着脱可能に挟持するクリップについては、従来、様々な形状、機能を有するものが数多く提案されているが、本考案に関連するものとして、例えば、特許文献１に記載された「ハンガー用クリップ」がある。
【０００３】
この「ハンガー用クリップ」は、基端部と、この基端部から先端側に向けて連続して対向状態に形成された２本の挟持部と、により構成され、２本の挟持部のうち一方の先端部を、対向する他方の挟持部と反対方向に曲げたことを特徴とするものである。
【０００４】
この「ハンガー用クリップ」は、襟潰れ部防止用のボードを備えたハンガーを用いて衣服を支持する場合に、襟の先端部分の潰れやむくれを防止することができるという長所を有している。
【先行技術文献】
【特許文献】
【０００５】
【特許文献１】特開平１１−１９２１４８号公報
【考案の概要】
【考案が解決しようとする課題】
【０００６】
特許文献１に記載された「ハンガー用クリップ」は、前述したような長所を有しているが、差し込み口（２本の挟持部の先端部同士が対向している領域）が狭いので、衣服に装着するときに服地を差し込み難く、使いづらい面がある。また、この「ハンガー用クリップ」を衣服に装着するとき、服地を基端部近くまで差し込むと、２本の挟持部の先端部の間隔が広がるので、先端部の挟持力が低下するという問題がある。
【０００７】
そこで、本考案が解決しようとする課題は、衣服に装着するときに服地を差し込み易く、服地を深く差し込んでも挟持力が低下しないクリップを提供することにある。
【課題を解決するための手段】
【０００８】
本考案に係るクリップは、
基端部が主ヒンジ部で一体的に連接された第一挟持片及び第二挟持片と、
前記第二挟持片の先端部寄りの部分に設けられた副ヒンジ部に、前記第一挟持片に対向する姿勢で、且つ、シーソー状に傾動可能な状態で連接された第三挟持片と、を備えたことを特徴とする。
【０００９】
前記クリップにおいては、前記第一挟持片の先端部寄りの部分に前記第二挟持片から離れる方向に膨らんだ膨出部を設けることができる。
【００１０】
前記クリップにおいては、前記第三挟持片の先端部寄りの部分に、前記膨出部に接近する方向にカーブした湾曲部を設けることができる。
【００１１】
前記クリップにおいては、前記基端部寄りの領域において前記第一挟持片と前記第二挟持片とが対向する部分に、前記第二挟持片（若しくは前記第一挟持片）から前記第一挟持片（若しくは前記第二挟持片）に向かって突出した突片部を設けることができる。
【００１２】
前記クリップにおいては、前記第一挟持片と前記第三挟持片とが対向する部分の前記第一挟持片若しくは前記第三挟持片の少なくとも一方の挟持片に、他方の挟持片に向かって突出した歯状片を設けることができる。
【考案の効果】
【００１３】
本考案により、衣服に装着するときに服地を差し込み易く、服地を深く差し込んでも挟持力が低下しないクリップを提供することができる。
【図面の簡単な説明】
【００１４】
【図１】本考案の実施形態であるクリップを示す左側面図である。
【図２】図１に示すクリップの右側面図である。
【図３】図１に示すクリップの正面図である。
【図４】図１に示すクリップの背面図である。
【図５】図１に示すクリップの平面図である。
【図６】図１に示すクリップの底面図である。
【図７】図１に示すクリップの使用状態を示す一部省略斜視図である。
【図８】図１に示すクリップの挟持機能を示す一部省略左側面図である。
【考案を実施するための形態】
【００１５】
以下、図１〜図８に基づいて、本考案の実施形態であるクリップ１００について説明する。
【００１６】
図１〜図６に示すように、本実施形態に係るクリップ１００は、第一挟持片１１、第二挟持片１２及び第三挟持片１３を備えている。第一挟持片１１及び第二挟持片１２は、それぞれの基端部１１ｂ，１２ｂが主ヒンジ部１０で一体的に連接されている。第二挟持片１２の先端部１２ａ寄りの部分に副ヒンジ部１４が設けられ、この副ヒンジ部１４に、第一挟持片１１に対向する姿勢で、且つ、シーソー状に傾動可能な状態で第三挟持片１３が連接されている。第一挟持片１１及び第二挟持片１２は主ヒンジ部１０を支点にして互いに弾性的に接近・離隔可能であり、第三挟持片１３は副ヒンジ部１４を支点にして弾性的シーソー状に傾動可能である。
【００１７】
クリップ１００においては、第一挟持片１１の先端部１１ａに第二挟持片１２から離れる方向に団扇状に膨らんだ膨出部１５を有する。膨出部１５の周縁１５ａは滑らかな曲線状（円形状）をなし、膨出部１５の平面方向は、第一挟持片１１と第二挟持片１２とが主ヒンジ部１０を介して互いに接近・離隔する方向と平行を成している。
【００１８】
クリップ１００においては、第三挟持片１３の先端部１３ａ寄りの部分に、膨出部１５に接近する方向にカーブした湾曲部１６が設けられている。湾曲部１６の内周面１６ａ（凹曲面部分）には、第一挟持片１１の膨出部１５に向かって突出した突起部２０が設けられている。突起部２０は平板状をなし、その先端部２０ａは直角形状に尖っている。また、図３，図４に示すように、第三挟持片１３の先端部１３ａには、クリップ１００の左右方向（第三挟持片１３の長手方向と直交する方向）に突出した一対の突起部１３ｂが設けられている。
【００１９】
クリップ１００においては、基端部１１ｂ，１２ｂ寄りの領域において第一挟持片１１と第二挟持片１２とが対向する部分に、第二挟持片１２から第一挟持片１１に向かって突出した突片部１７が設けられている。図２に示すように、右側面から見た突片部１７の周縁１７ａの形状は、滑らかな「フ」字状をなしている。
【００２０】
第一挟持片１１と第三挟持片１３とが対向する部分の第一挟持片１１（第三挟持片１３）に、第三挟持片１３（第一挟持片１１）に向かって突出した複数の歯状片１８，１９を設がけられている。歯状片１８（１９）は第一挟持片１１（第三挟持片１３）の長手方向に沿って一定間隔を置いて配列されている。複数の歯状片１８，１９の配列間隔は同じであるが、歯状片１８（歯状片１９）の配列位相は第一挟持片１１（第三挟持片１３）の長手方向に歯状片１８（歯状片１９）１個分だけ偏移している。従って、第一挟持片１１と第三挟持片１３とが対向する部分において、複数の歯状片１８はそれぞれ複数の歯状片１９の間に向かうように配列されている。
【００２１】
次に、図７，図８に基づいて、クリップ１００の使い方について説明する。なお、図７，図８に示す使い方は一例を示すものであり、クリップ１００の使い方は、これに限定されない。
【００２２】
図７は、クリーニングが終わったワイシャツ３０の台襟３１の左右の先端部３１ａ，３１ｂ同士を重ね合わせた部分をクリップ１００で挟持した状態を示している。この場合、台襟３１の右側の先端部３１ｂに縫着されたボタン３３は左右の先端部３１ａ，３１ｂの間に挟まれている。
【００２３】
図８（ａ）に示すように、未使用状態にあるクリップ１００を、その主ヒンジ部１０を上に向けた状態で第二挟持片１２部分を手指で挟持し、台襟３１の先端部３１ａ，３１ｂ同士が重なり合った部分（図７参照）の上方から接近させ、前記重なり合った部分を第一挟持片１１の膨出部１５と、第三挟持片１３の先端部１３ａとの間に差し込んでいくと、膨出部１５と先端部１３ａとの間隔が広がりながら、前記重なり合った部分が第一挟持片１１と第三挟持片１３との間に挟み込まれていく。なお、図８（ｂ），（ｃ）においては台襟３１の先端部３１ａ，３１ｂの間にあるボタン３３の位置を明確に示すため、台襟３１の先端部３１ａ，３１ｂを省略して図示している。
【００２４】
この後、図８（ｂ）に示すように、前記重なり合った部分にあるボタン３３が膨出部１５と先端部１３ａとの間に来ると、第三挟持片１３が副ヒンジ部１４を支点にして反時計回りに傾動して、膨出部１５と先端部１３ａとの間隔が大きく広がるので、ボタン３３のある部分は円滑に第一挟持片１１と第三挟持片１３との間に挟み込まれていく。
【００２５】
この後、ボタン３３のある部分を主ヒンジ部１０に近づけていくと、ボタン３３の厚みにより第一挟持片１１と第三挟持片１３に拡幅力が作用し、主ヒンジ部１０を支点にして第一挟持片１１と第二挟持片１２との間隔が広がるので、ボタン３３のある部分を主ヒンジ部１０に向かって差し込んでいくことができる。
【００２６】
この後、図８（ｃ）に示すように、ボタン３３のある部分が副ヒンジ部１４付近を過ぎて主ヒンジ部１０に接近すると、第三挟持片１３は副ヒンジ部１４を支点として、時計回りに傾動し、第一挟持片１１の基端部１１ｂ側と第三挟持片１３の基端部１３ｃ側との間隔が広がるので、第一挟持片１１と第二挟持片１２との間隔は図８（ａ）に近い状態に復元しつつ、ボタン３３のある部分は第一挟持片１１の基端部１１ｂ寄りの部分と第三挟持片１３の基端部１３ｃ寄りの部分との間に強固に挟持される。
【００２７】
クリップ１００を用いて、台襟３１の先端部３１ａ，３１ｂがボタン３３を挟んで重なり合った部分を挟持する場合、図８（ｂ）に示すように前記重なり合った部分を差し込み始める段階では、第三挟持片１３が副ヒンジ部１４を支点として反時計回りに傾動して第一挟持片１１の先端部１１ａ及び膨出部１５と、第三挟持片１３の先端部１３ａとの間隔が広がるので、前記重なり合った部分を容易に差し込むことができる。
【００２８】
また、図８（ｃ）に示すように、台襟３１の先端部３１ａ，３１ｂがボタン３３を挟んで重なり合った部分を深く差し込む段階においては、第三挟持片１３が副ヒンジ部１４を支点として時計回りに傾動することにより、第一挟持片１１の先端部１１ａ及び膨出部１５と、第三挟持片１３の先端部１３ａとの間隔が狭まるので、前記重なり合った部分を深く差し込んでも挟持力が低下しない。
【００２９】
さらに、第一挟持片１１と第三挟持片１３とが対向する部分には、それぞれ複数の歯状片１８，１９が設けられているので、第一挟持片１１と第三挟持片１３の間に挟持された台襟３１の先端部３１ａ，３１ｂを安定保持することができる。また、第三挟持片１３の先端部１３ａ寄りの部分には湾曲部１６及び突起部２０が設けられているので、第一挟持片１１と第三挟持片１３の間に挟持された台襟３１の先端部３１ａが下方にズレるのを防止することができる。
【００３０】
また、クリップ１００においては、第二挟持片１２の基端部１２ｂ寄り部分には第一挟持片１１に向かって突出した突片部１７を設けているので、台襟３１の先端部３１ａが突片部１７に当接するまで差し込んだとき、突片部１７によって台襟３１の先端部３１ａ，３１ｂ同士が開かないように（外れないように）確実に挟持することができる。
【００３１】
なお、図１〜図８に基づいて説明したクリップ１００は、本考案に係るクリップの一例を示すものであり、本考案に係るクリップは、前述したクリップ１００に限定されない。
【産業上の利用可能性】
【００３２】
本考案は、衣服やその他の物品を着脱可能に挟持することを必要とする様々な産業分野において広く利用することができる。
【符号の説明】
【００３３】
１０  主ヒンジ部
１１  第一挟持片
１１ａ，１２ａ，１３ａ，２０ａ，３１ａ，３１ｂ  先端部
１１ｂ，１２ｂ，１３ｃ  基端部
１２  第二挟持片
１３  第三挟持片
１３ｂ，２０  突起部
１４  副ヒンジ部
１５  膨出部
１５ａ，１７ａ  周縁
１６  湾曲部
１６ａ  内周面
１７  突片部
１８，１９  歯状片
３０  ワイシャツ
３１  台襟
３３  ボタン
１００  クリップ
【図１】
0003232555.tif 000003
【図２】
0003232555.tif 000004
【図３】
0003232555.tif 000005
【図４】
0003232555.tif 000006
【図５】
0003232555.tif 000007
【図６】
0003232555.tif 000008
【図７】
0003232555.tif 000009
【図８】
0003232555.tif 000010
【手続補正書】
【提出日】令和3年4月15日(2021.4.15)
【手続補正１】
【補正対象書類名】実用新案登録請求の範囲
【補正対象項目名】全文
【補正方法】変更
【補正の内容】
【実用新案登録請求の範囲】
【請求項１】
基端部が主ヒンジ部で一体的に連接された第一挟持片及び第二挟持片と、
前記第二挟持片の先端部寄りの部分に設けられた副ヒンジ部に、前記第一挟持片に対向する姿勢で且つシーソー状に傾動可能な状態で連接された第三挟持片と、を備えたクリップ。
【請求項２】
前記第一挟持片の先端部に前記第二挟持片から離れる方向に膨らんだ膨出部を有する請求項１記載のクリップ。
【請求項３】
前記第三挟持片の先端部寄りの部分に、前記膨出部に接近する方向にカーブした湾曲部を有する請求項２記載のクリップ。
【請求項４】
前記基端部寄りの領域において前記第一挟持片と前記第二挟持片とが対向する部分に、前記第二挟持片から前記第一挟持片に向かって突出した突片部、若しくは、前記第一挟持片から前記第二挟持片に向かって突出した突出部を有する請求項１〜３の何れかの項に記載のクリップ。
【請求項５】
前記第一挟持片と前記第三挟持片とが対向する部分の前記第一挟持片若しくは前記第三挟持片の少なくとも一方の挟持片に、他方の挟持片に向かって突出した歯状片を有する請求項１〜４の何れかの項に記載のクリップ。